(57)【特許請求の範囲】
【請求項１】
ラベル連続体の装着が可能なガイド部材と、該ガイド部材の長手方向に沿って前記ラベル連続体を移動させるラベル連続体可動手段と、前記ガイド部材に装着されたラベル連続体を挟み前記ラベル連続体可動手段の対向位置に設けられるとともに、前記ガイド部材の長手方向で移動自在な用紙ガイド部材と、前記ガイド部材とほぼ平行に設けられ、リボンの装着が可能なリボン供給軸と、該リボン供給軸の長手方向に沿って移動するリボン案内手段と、前記ラベル連続体可動手段及びリボン案内手段を一体的に接合した接合部材と、前記ラベル連続体可動手段及びリボン案内手段、並びに前記用紙ガイド部材を、ラベル連続体の側端部を挟持する方向、あるいはラベル連続体の側端部から外側へ広がる方向に連動させる連動手段と、前記ガイド部材とほぼ平行に設けられリボン案内手段の移動を支えるガイドシャフトと、前記ガイド部材の長手方向に沿って移動し、前記ラベル連続体可動手段またはリボン案内手段に対する移動の停止または停止解除を操作するロック操作部と、該ロック操作部の前記停止または停止解除の操作に連動して作動する連動部と、前記ラベル連続体可動手段またはリボン案内手段の移動に伴って移動すると共に、前記ガイドシャフトを締めつけ・解放自在とするロック部材を備え、前記ラベル連続体可動手段またはリボン案内手段に対する前記ロック操作部の移動の停止または停止解除の操作を、前記連動部を介して受けて前記ロック部材を作動し、ラベル連続体可動手段またはリボン案内手段を前記ガイドシャフトに対するロック部材の締め付けにより停止またはロック部材の解放により停止解除するロック作動部と、を備え、前記ラベル連続体可動手段または前記リボン案内手段を移動して、前記ラベル連続体及びリボンを位置調整した後、前記ロック操作部を操作して前記ラベル連続体可動手段またはリボン案内手段を停止させることを特徴とするラベルプリンタのロック機構。
【請求項２】
前記ロック操作部は、取付ピンを中心に回動自在なカム片と、該カム片の一端に固定される第１のロックピンと、前記カム片の取付ピンに取付けられ前記連動部に接続される第２のロックピンと、から成り、前記第１のロックピンを操作して前記カム片を回動させることにより前記第２のロックピンを介して接続される前記連動部に、ロック及びロック解除の操作が連動することを特徴とする請求項１記載のラベルプリンタのロック機構。
【請求項３】
前記連動部は、連結杆と、該連結杆の一端に摺動自在に支持され、前記ロック操作部に接続される第１の連動片と、前記連結杆の他端に摺動自在に支持され、前記ロック作動部に接続される第２の連動片と、を備え、前記ロック操作部のロック及びロック解除の操作を、第２の連動片を介してロック作動部に連動させることを特徴とする請求項１または請求項２記載のラベルプリンタのロック機構。
【請求項４】
前記ロック作動部は、回動ピンを中心に回動自在とされ、一端が開口状態とされ、且つ他端が締めつけ・解放自在とされるロック部材と、該ロック部材の前記開口に嵌合し、この開口をすぼめ或は広げるように作動する拡開片と、を備え、前記拡開片が開口を広げ或はすぼめるように作動することにより前記ロック部材が回動ピンを中心に回動し、他端を締めつけ・解放自在とすることを特徴とする請求項１記載のラベルプリンタのロック機構。
【発明の詳細な説明】
【０００１】
【発明の属する技術分野】
本発明は、特に装着されたラベル連続体及びリボンをロックするラベルプリンタのロック機構に関するものである。
【０００２】
【従来の技術】
従来、ラベルプリンタにおいて、ラベル連続体及びリボンのロック機構を備える例は少なかった。即ち、筐体に片持ち状態に取付けられた供給軸に対し、ラベル連続体やリボンを奥まで押し込んで装着するようなラベルプリンタが一般的であり、押し込んだ位置においては「ロック」の必要性が余りなかった。
【０００３】
先ず、ラベル連続体やリボンのロック機構を具備しない従来のラベルプリンタの説明を行うと、図９及び図１０に示すようなものが知られている。
【０００４】
ラベルプリンタ１は、筐体２に片持ち状態に取付けられたラベル供給軸３を備えており、このラベル供給軸３にラベル連続体４を筐体２側のストッパ１９に当接するまで押し込んで装着し、ガイドピン５を経てプラテンローラ６とサーマルヘッド７の間に前記ラベル連続体４を挿通し、ガイドピン８を経てラベル巻取り軸９に巻回する。
【０００５】
また、筐体２には、片持ち状態にリボン供給軸１０が取付けられており、このリボン供給軸１０に前記ラベル連続体４の幅ｗにほぼ見合う幅のカーボンリボン１１をストッパ２０に当接するまで押し込んで装着し、ガイドピン１２を経て先のラベル連続体４と同様、プラテンローラ６とサーマルヘッド７の間に挿通し、ガイドピン１３、１５を経てリボン巻取り軸１４に巻回する。
そして、プラテンローラ６を回転させることにより、プラテンローラ６とサーマルヘッド７に挟持されたラベル連続体４及びカーボンリボン１１が各々の供給軸３、１０から繰り出されながら、各々の巻取り軸９、１４に巻取られる途中で、サーマルヘッド７の熱によって溶融されたカーボンリボン１１がラベル連続体４に転写されて、必要情報がラベル連続体４に印字されるようになっている。
【０００６】
上述のような従来のラベルプリンタ１においては、前述したようにラベル連続体４及びカーボンリボン１１を各々の供給軸３、１０の筐体２側に設けられるストッパ１９、２０に当接するまで押し込んで装着しており、少なくともラベル連続体４及びカーボンリボン１１の片面がストッパ１９、２０に当接した状態にあるため安定感があり、「ロック」の必要性が余りなかった。
【０００７】
ところで、従来のラベルプリンタ１は、筐体２側の偏った位置に位置決めされたカーボンリボン１１をサーマルヘッド７の熱によって溶融させるようにしているので、サーマルヘッド７の熱効率や図示せぬスプリングによる圧力のバランスの関係からラベル連続体４及びカーボンリボン１１をサーマルヘッド７の幅方向（図１０の矢示Ｗ方向）の中央部位に位置決めしようとした。
【０００８】
しかしながら、ラベル連続体４及びカーボンリボン１１をサーマルヘッド７の中央部位に位置決めするとフリー状態となるため、この位置決めされた状態でのロックが必要となった。
【０００９】
【発明が解決しようとする課題】
本発明は以上のような諸問題に注目してなされたもので、フリー状態に支持されたラベル連続体及びリボンを、所定の位置から動かないようロックするようなラベルプリンタのロック機構を提供することを課題とする。
【００１０】
【課題を解決するための手段】
本発明は、上記課題に注目してなされたものであって、ラベル連続体の装着が可能なガイド部材と、該ガイド部材の長手方向に沿って前記ラベル連続体を移動させるラベル連続体可動手段と、前記ガイド部材に装着されたラベル連続体を挟み前記ラベル連続体可動手段の対向位置に設けられるとともに、前記ガイド部材の長手方向で移動自在な用紙ガイド部材と、前記ガイド部材とほぼ平行に設けられ、リボンの装着が可能なリボン供給軸と、該リボン供給軸の長手方向に沿って移動するリボン案内手段と、前記ラベル連続体可動手段及びリボン案内手段を一体的に接合した接合部材と、前記ラベル連続体可動手段及びリボン案内手段、並びに前記用紙ガイド部材を、ラベル連続体の側端部を挟持する方向、あるいはラベル連続体の側端部から外側へ広がる方向に連動させる連動手段と、前記ガイド部材とほぼ平行に設けられリボン案内手段の移動を支えるガイドシャフトと、前記ガイド部材の長手方向に沿って移動し、前記ラベル連続体可動手段またはリボン案内手段に対する移動の停止または停止解除を操作するロック操作部と、該ロック操作部の前記停止または停止解除の操作に連動して作動する連動部と、前記ラベル連続体可動手段またはリボン案内手段の移動に伴って移動すると共に、前記ガイドシャフトを締めつけ・解放自在とするロック部材を備え、前記ラベル連続体可動手段またはリボン案内手段に対する前記ロック操作部の移動の停止または停止解除の操作を、前記連動部を介して受けて前記ロック部材を作動し、ラベル連続体可動手段またはリボン案内手段を前記ガイドシャフトに対するロック部材の締め付けにより停止またはロック部材の解放により停止解除するロック作動部と、を備え、前記ラベル連続体可動手段または前記リボン案内手段を移動して、前記ラベル連続体及びリボンを位置調整した後、前記ロック操作部を操作して前記ラベル連続体可動手段またはリボン案内手段を停止させることを特徴とする。
【００１１】
【発明の実施の形態】
本発明に係るラベルプリンタのロック機構を図１ないし図８に基づき説明する。尚、従来技術で説明した部分については同一符号を付すに止め、重複説明は省略する。
【００１２】
本発明のロック装置は、ラベルプリンタ２７に装備されるものであって、ラベル連続体４及びカーボンリボン１１の位置決めを行った状態を維持させるための装置である。
先ず、ラベルプリンタ２７を説明すると、主にガイド機構２８とロック機構２９から構成される。
【００１３】
主に図２及び図４に示すように、ガイド機構２８は、ラベル連続体４及びカーボンリボン１１を幅方向（図２、図４の矢示Ｗ方向）におけるサーマルヘッド７の中央部位に位置決めするよう案内するためのものであって、ガイド部材３０、スライド部材３１、連動部材３２、兼用ガイド部材３３より構成される。
【００１４】
ガイド部材３０は、一端を筐体２に固定し、他端を開放端とすることによって筐体２に対して片持ち状態に支持される。そして、開放端側よりラベル連続体４が装着できるようになっており、いわばラベル連続体４の「供給軸」の役目も果たせるようになっている。
ガイド部材３０には、その上面部の幅方向、即ち長手方向（図２、図４の矢示Ｗ方向）の左右及び側面部（図４の手前側の側面部及び対峙する側面部）の左右に、前記スライド部材３１用の長孔３４ａ、３４ｂが備えられている。また上面部の開放端側には、後述するロック機構２９のロックピン６５ｂ用の長孔３６が備えられている。これらの長孔３４ａ、３４ｂ、３６は、いずれも長手方向（図２、図４の矢示Ｗ方向）に沿った長孔になっている。
【００１５】
スライド部材３１は、第１のスライド部材３１ａ及び第２のスライド部材３１ｂから成り、第１及び第２のスライド部材３１ａ，３１ｂは、共に断面がほぼコ字状を呈しており、幅方向で移動自在となるよう前記ガイド部材３０に取付けられている。即ち、コ字状断面の内側面でガイド部材３０の上面部を覆うように配し、ガイド部材３０の側面側の長孔３４ｂを挿通させたピン３７をスライド部材３１に固着することにより、スライド部材３１はガイド部材３０の上面部より少し浮いた状態に取付けられて、幅方向での移動が円滑となるものである。
【００１６】
また、第１のスライド部材３１ａには、第１の用紙ガイド部材４０が取り付けられている。
【００１７】
次に、主に図５及び図６により「連動手段」としての連動部材３２を説明する。
【００１８】
連動部材３２は、主に、ピニオン（歯車）３８と、このピニオン３８に歯合する一対のラック３９ａ、３９ｂより成る。ラック３９ａ、３９ｂは、前記ガイド部材３０上面部の長孔３４ａを挿通したピン５１を介して各々第１のスライド部材３１ａ、第２のスライド部材３１ｂに固着されている。
【００１９】
そして、連動部材３２の働きにより第１及び第２のスライド部材３１ａ、３１ｂは、お互いに内側方向、即ち、ラベル連続体４の側端部を挟持する方向、あるいはラベル連続体４の側端部から外側へ広がる方向の、相反する方向に連動して移動するようになっている。
【００２０】
また、前記スライド部材３１がガイド部材３０に沿って移動するとき、連動部材３２の働きによって第１及び第２のスライド部材３１ａ、３１ｂが同じ距離だけ移動するようになっている。
【００２１】
次に、主に図４及び図６により兼用ガイド部材３３を説明する。
兼用ガイド部材３３は、主に、「ラベル連続体可動手段」としての第２の用紙ガイド部材５０及び「リボン案内手段」としてのリボンガイド部材４１から構成される。
【００２２】
用紙ガイド部材５０には、側面部に、前記第２のスライド部材３１ｂを移動自在に取付けたガイド部材３０の挿通が可能な開口４２が設けられており、この開口４２を前記筐体２に片持ち状態に固定されているガイド部材３０の開放端から挿通して、用紙ガイド部材５０を前記第２のスライド部材３１ｂに固着する。この固着により用紙ガイド部材５０が、前記片持ち状態のガイド部材３０に対し、第２のスライド部材３１ｂを介して移動自在に取付けられるものである。
【００２３】
リボンガイド部材４１には、カーボンリボン１１のリボン供給軸４３及びリボン巻取り軸４４用の挿通孔４５、４６があいている。
また、リボンガイド部材４１と前記用紙ガイド部材５０とは、接合部材４７によって一体となるよう取付けられている。このため、前述のように用紙ガイド部材５０がスライド部材３１ｂを介して移動すると、リボンガイド部材４１を含めた兼用ガイド部材３３の全体がガイド部材３０に対して移動自在となるものである。
【００２４】
なお、リボン供給軸４３及びリボン巻取り軸４４は、共に、前記ガイド部材３０に対し、ほぼ平行に設けられている。
【００２５】
また、４９は第１のガイドシャフトであり、この第１のガイドシャフト４９は、一端が筐体２に片持ち状態に固定され、他端はリボンガイド部材４１にあけられた挿通孔５２に挿通している。
【００２６】
更に、５３は第２のガイドシャフトであり、この第２のガイドシャフト５３は、一端が筐体２に片持ち状態に固定され、他端はリボンガイド部材４１の下部に取付けられたローラ５４に当接している。
【００２７】
そして、前記第１及び第２のガイドシャフト４９、５３共に、前記兼用ガイド部材３３の全体が前記ガイド部材３０に対して円滑に移動するための補助の役目を果たすようにされている。
【００２８】
次に、主に図５ないし図７に基づき、本発明の主要部であるロック機構２９を説明する。
【００２９】
ロック機構２９は、前記ガイド機構２８によってラベル連続体４及びカーボンリボン１１がサーマルヘッド７の中央部位に位置決めされた状態を維持させるためのものであって、主に図５にて示すように、ロック操作部６０、連動部６１及びロック作動部６３から構成される。
【００３０】
主に図８で示すように、ロック操作部６０には、カム片５５と、このカム片５５の一端に取付けられカム片５５の上方に突出する第１のロックピン６５ａと、カム片５５の他端に取付ピン５６を介して取付けられカム片５５の下方に突出する第２のロックピン６５ｂと、が備えられている。
【００３１】
そして、主に図６にて示すように、第２のロックピン６５ｂは、用紙ガイド部材４０、前記第１のスライド部材３１ａの孔５９及びガイド部材３０の長孔３６、ラック３９ａを挿通し、その先端をガイド部材３０の裏面でスプリング６６と取付部材６７により固定されている。
【００３２】
また、前記カム片５５を前記第１のスライド部材３１ａ上に取付けることによって、ロック操作部６０は、ガイド部材３０に対して移動自在なスライド部材３１ａに連動して長手方向Ｗで移動自在となるように取付けられることになる。
【００３３】
また、第１のロックピン６５ａを倒す（図８の想像線位置）と、カム片５５が取付ピン５６を中心に回動して第２のロックピン６５ｂは下方へ押され、逆に第１のロックピン６５ａを引き起こす（図８の実線位置）と、カム片５５が回動して第２のロックピン６５ｂは、上方に引張られるようになっており、第１のロックピン６５ａの起伏によって第２のロックピン６５ｂは上下動するものである。
【００３４】
更に、第２のロックピン６５ｂの先端の取付部材６７は、後述する連動部６１にピン６８を介して接続されている。
【００３５】
連動部６１は、主に図５ないし図７に示すように、連結杆６９、第１の連動片７０、第２の連動片７１及び連杆片７２から成る。
【００３６】
連結杆６９は、断面がほぼＤ字形状を呈しており、ここに前記第１の連動片７０及び第２の連動片７１が摺動自在に嵌合されている。
そして、第１の連動片７０の突出した一端は、前記第２のロックピン６５ｂ先端の取付部材６７のピン６８と係合しており、前記第２のロックピン６５ｂが第１のロックピン６５ａの起伏によって上下動するのに伴って、下方へ押されたり上方へ引張られるものである。この第１の連動片７０の上下の動きは、連結杆６９へ回動運動として伝達されるものである。
【００３７】
一方、第２の連動片７１の突出した一端は、連杆片７２を介してロック作動部６３のリンク７３と接続されており、前記連結杆６９の回動運動は連動片７１、連杆片７２を介してロック作動部６３側へ直線動として伝達される。
【００３８】
ロック作動部６３は、主に、前記リンク７３、連結部材７４、拡開片７５、ロック部材７６から構成される。
【００３９】
リンク７３は、一端が取付ピン８０により兼用ガイド部材３３の接合部材４７に回動自在に取付けられ、他端は連結部材７４にピン７７を介して接続されている。またリンク７３の上下方向の中ほどに前記連動部６１の連杆片７２が接続され、この連杆片７２が前述したように直線動すると、兼用ガイド部材３３に取付けられたリンク７３は取付ピン８０を起点として回動する。
【００４０】
連結部材７４の一端は、前述したようにリンク７３のピン７７と接続され、他端は、拡開片７５と接続されている。そして、前述したリンク７３の回動は連結部材７４を介して、拡開片７５へ直線動として伝達されるようになっている。
【００４１】
ロック部材７６は、ペンチのような形状を呈しており、中ほどが回動ピン８１により取付けられている。そして、一端が作動すると他端が締め付け・解放されるようになっており、一端の開口部７８には前記拡開片７５が取付けられ、他端には前述のガイドシャフト４９が嵌合している。
更に、拡開片７５が開口部７８から外側（図５の右方向）へ向けて引張られると開口部７８が広がり他端はすぼまって締め付けられ、また拡開片７５が開口部７８から内側へ押されると他端は広がって解放されるようになっている。
【００４２】
上述の構成で、サーマルヘッド７の中央部位にラベル連続体４とカーボンリボン１１を位置決めするには、先ず兼用ガイド部材３３または第１のスライド部材３１ａを手で持って幅を広げる方向に移動し、ガイド部材３０にラベル連続体４を装着する。
【００４３】
そして、兼用ガイド部材３３または第１のスライド部材３１ａを手で持って先とは逆に幅を狭める方向に移動すると、第１のスライド部材３１ａに固着された第１の用紙ガイド部材４０と兼用ガイド部材３３の第２の用紙ガイド部材５０がラベル連続体４に当接して停止する。この時、連動部材３２を介して第１の用紙ガイド部材４０が固定される第１のスライド部材３１ａと、兼用ガイド部材３３が固定される第２のスライド部材３１ｂは同じ距離移動するため、サーマルヘッド７の中央部位にラベル連続体４が位置決めされることになる。
【００４４】
次に、リボン供給軸４３に沿ってカーボンリボン１１を移動し、リボンガイド部材４１に押し付けるようにして装着する。このときリボンガイド部材４１が、先のラベル連続体４の位置決めに連動して位置決めされているため、カーボンリボン１１は、前記位置決めされたラベル連続体４と同様サーマルヘッド７の中央部位に位置決めされ、しかもラベル連続体４の幅方向の位置に対しずれることなく装着できるものである。
【００４５】
位置決めの後、ラベル連続体４及びカーボンリボン１１を、その位置から動かないように停止、即ち、「ロック」する。
先ず、ロック操作部６０の第１のロックピン６５ａを引き起こすと、第２のロックピン６５ｂが上方へ引張られ、この第２のロックピン６５ｂの先端に取付けられる第１の連動片７０を上方へ引き上げる。
【００４６】
第１の連動片７０が引き上げられると、この第１の連動片７０を嵌合せしめている連結杆６９が回動し、第２の連動片７１も回動する。
【００４７】
第２の連動片７１が回動すると、この第２の連動片７１の突出した先端に取付けられた連杆片７２が図７における右側へ引張られる。
【００４８】
連杆片７２が引張られると、この連杆片７２に接続されるリンク７３が図７における右側に回動する。
【００４９】
リンク７３が回動すると、リンク７３に接続された連結部材７４が図１における右側へ引張られ、この連結部材７４の一端に接続された拡開片７５も同様に引張られる。
【００５０】
ロック部材７６の開口部７８に取付けられた拡開片７５は、図１における右側へ引張られると開口部７８を広げるよう作用する。
【００５１】
開口部７８が広がると、この開口部７８の反対側でガイドシャフト４９を嵌合している部分は締め付けるよう作用する。
このガイドシャフト４９は、ラベル連続体４及びカーボンリボン１１の位置決め用の兼用ガイド部材３３の挿通孔５２に挿通されており、ガイドシャフト４９を締め付けることにより位置決めされた兼用ガイド部材３３を外側（図２における左側）からロックすることになる。
【００５２】
上述したように、操作者側（図５における右側）のロック操作部６０の第１のロックピン６５ａを引き起こすだけで、連動部６１を介してロック作動部６３のロック部材７６がすぼまる作動を行って、ガイドシャフト４９を締め付けるので、兼用ガイド部材３３は位置決めされた状態から広がることなく停止、即ち、ロックされることになり、簡単な操作でロックが行えることになるものである。
【００５３】
【発明の効果】
本発明は、以上説明したように、ラベル連続体可動手段またはリボン案内手段を移動して、ラベル連続体及びリボンを位置調整した後、ロック操作部を操作するだけで、このロック操作部の操作が連動部を介してロック作動部に伝達されて、ラベル連続体可動手段またはリボン案内手段の停止、即ち、ロックが行われるため、操作が簡単であるという効果がある。
【図面の簡単な説明】
【図１】本発明に係るロック機構を備えたラベルプリンタの側面説明図
【図２】同、図１中、矢示II方向から見た説明図
【図３】同、図２中、矢示III 方向から見た連動部材部分の説明図
【図４】同、ガイド機構の斜視説明図
【図５】同、ロック機構の斜視説明図
【図６】同、ガイド機構及びロック機構の分解斜視図
【図７】同、ロック機構のロック及びロック解除状態の作動の一部を示す側面説明図
【図８】同、ロック操作部のロック及びロック解除状態の作動の一部を示す斜視図
【図９】ラベル連続体及びリボンのロック機構を備えない、従来のラベルプリンタの側面説明図
【図１０】同、図９中、矢示Ｘ方向から見た平面説明図
【符号の説明】
Ｗ      長手方向（幅方向）
３      ラベル供給軸
４      ラベル連続体
１１    カーボンリボン
２７    ラベルプリンタ
２８    ガイド機構
２９    ロック機構
３０    ガイド部材
３１    スライド部材
３１ａ  第１のスライド部材
３１ｂ  第２のスライド部材
３２    連動部材
４２    開口
４３    リボン供給軸
４４    リボン巻取り軸
５５    カム片
５６    取付ピン
６０    ロック操作部
６１    連動部
６３    ロック作動部
６５    ロックピン
６５ａ  第１のロックピン
６５ｂ  第２のロックピン
６８    ピン
６９    連結杆
７０    第１の連動片
７１    第２の連動片
７２    連杆片
７３    リンク
７４    連結部材
７５    拡開片
７６    ロック部材
７７    ピン
７８    開口部
８０    取付ピン
８１    回動ピン
【図１】
0003654604.tif 000002
【図２】
0003654604.tif 000003
【図３】
0003654604.tif 000004
【図４】
0003654604.tif 000005
【図５】
0003654604.tif 000006
【図６】
0003654604.tif 000007
【図７】
0003654604.tif 000008
【図８】
0003654604.tif 000009
【図９】
0003654604.tif 000010
【図１０】
0003654604.tif 000011